(57)【要約】【課題】外周チップポケットの損傷によるスローアウェイ式工具本体の寿命を向上させ、コストや時間を削減する。【解決手段】スローアウェイ式工具３１は、外周チップポケット位置の窪み１２及び側面チップポケットの反対側の窪み１４を有するチップポケット挿入部１１と、外周チップポケット２を有し、チップポケット挿入部１１の窪み１２，１４に脱着自在に嵌合する脱着式外周チップポケット部１とを備え、チップポケット挿入部１１には、側面チップポケット１９の反対側にボルト穴１３が設けられ、脱着式外周チップポケット部１には、脱着式外周チップポケット部１をチップポケット挿入部１１に嵌合した場合に、ボルト穴１３が外側から見える位置に、ボルト穴１３の直径以上の直径を持つ穴３が設けられることで、外周チップポケット２の損傷によるスローアウェイ式工具３１本体の寿命を向上させ、コストや時間を削減する。【選択図】図３
2013173197.tif 000002
【特許請求の範囲】
【請求項１】
側面チップポケットの反対側から、スローアウェイインサートの回転方向前方の外周面に亘って、窪みを有するチップポケット挿入部と、
外周チップポケットを有し、前記チップポケット挿入部の前記窪みに脱着自在に嵌合する脱着式外周チップポケット部とを備えることを特徴とするスローアウェイ式工具。
【請求項２】
前記チップポケット挿入部には、前記側面チップポケットの反対側にボルト穴が設けられ、
前記脱着式外周チップポケット部には、前記脱着式外周チップポケット部を前記チップポケット挿入部に嵌合した場合に、前記ボルト穴が外側から見える位置に、前記ボルト穴の直径以上の直径を持つ穴が設けられ、
ボルトを前記穴に通して前記ボルト穴と螺合させることで、前記チップポケット挿入部と前記脱着式外周チップポケット部とを固定することを特徴とする請求項１に記載のスローアウェイ式工具。
【発明の詳細な説明】
【技術分野】
【０００１】
本発明は、歯車を加工するスローアウェイ式工具に関する。
【背景技術】
【０００２】
歯車を加工する従来のスローアウェイ式工具では、超硬インサートの前方にチップ（切屑）を排出するためのチップポケットが作られている。
【０００３】
図４（ａ）は従来のスローアウェイ式工具の概略図であり、同図（ｂ）は（ａ）のＤ‐Ｄ矢視図である。図示されている従来のスローアウェイ式工具２１は、外周チップポケット２２、超硬インサート２７、バックメタル２６，２８及び側面チップポケット２９を備える（但し、図示されているのはスローアウェイ式工具２１の一部である）。
【０００４】
上述の超硬インサート２７は、超硬合金を利用したスローアウェイインサートである。
【０００５】
上述のバックメタル２６，２８は、超硬インサート２７が欠けた際などに、スローアウェイ式工具２１のボディへの損傷を防ぐためのものである。
【０００６】
上述の外周チップポケット２２、側面チップポケット２９は、超硬インサート２７で対象物を切削した際に出てくるチップを排出するためのものである。
【０００７】
従来のスローアウェイ式工具２１は、上述のような構成とすることで、図４の点線矢印方向に回転しながら、超硬インサート２７によって対象物を切削する。超硬インサート２７によるチップは外周チップポケット２２と側面チップポケット２９から排出される。
【０００８】
ちなみに特許文献１には、刃に摩擦係数の低いＤＬＣ（Ｄｉａｍｏｎｄ  Ｌｉｋｅ  Ｃａｒｂｏｎ：ダイアモンドライクカーボン）コーティングを施すことで、刃に対するチップの溶着の防止及びチップの排出性の向上を図るという方法が提案されている。
【先行技術文献】
【特許文献】
【０００９】
【特許文献１】特開２００９−０６６７１５号公報
【発明の概要】
【発明が解決しようとする課題】
【００１０】
上述のようなスローアウェイ式工具においては、切削速度や送り速度が速いと、外周チップポケットが損傷してしまう。
【００１１】
もし外周チップポケットが損傷してしまった場合、スローアウェイ式工具そのものを取り換える必要があり、コストや手間がかかる。
【００１２】
そこで本発明では、外周チップポケットを脱着式とすることで、上述の問題点を解決することを目的とする。
【課題を解決するための手段】
【００１３】
上記課題を解決する第１の発明に係るスローアウェイ式工具は、
側面チップポケットの反対側から、スローアウェイインサートの回転方向前方の外周面に亘って、窪みを有するチップポケット挿入部と、
外周チップポケットを有し、前記チップポケット挿入部の前記窪みに脱着自在に嵌合する脱着式外周チップポケット部とを備えることを特徴とする。
【００１４】
上記課題を解決する第２の発明に係るスローアウェイ式工具は、
上記第１の発明に係るスローアウェイ式工具において、
前記チップポケット挿入部には、前記側面チップポケットの反対側にボルト穴が設けられ、
前記脱着式外周チップポケット部には、前記脱着式外周チップポケット部を前記チップポケット挿入部に嵌合した場合に、前記ボルト穴が外側から見える位置に、前記ボルト穴の直径以上の直径を持つ穴が設けられ、
ボルトを前記穴に通して前記ボルト穴と螺合させることで、前記チップポケット挿入部と前記脱着式外周チップポケット部とを固定することを特徴とする。
【発明の効果】
【００１５】
上記第１の発明に係るスローアウェイ式工具によれば、損傷の激しい外周チップポケットを脱着式にすることで、外周チップポケットが損傷した際に、脱着式外周チップポケット部のみを取り換えることができ、スローアウェイ式工具本体の寿命を向上させることができるため、コストや時間を削減することが可能となる。
【００１６】
上記第２の発明に係るスローアウェイ式工具によれば、ボルトによって、チップポケット挿入部と脱着式外周チップポケット部とを固定することが可能であり、外周チップポケットまたは側面チップポケット以外の面にボルト穴と穴を設けることで、切削中にボルト穴または穴にチップが入り込むことを防ぐことができる。
【図面の簡単な説明】
【００１７】
【図１】本発明の実施例１に係るスローアウェイ式工具の、脱着式外周チップポケット部の概略図である。（ａ）は（ｂ）または（ｃ）におけるＡ‐Ａ矢視図、（ｂ）は（ａ）または（ｃ）におけるＢ‐Ｂ矢視図、（ｃ）は（ａ）または（ｂ）におけるＣ‐Ｃ矢視図をそれぞれ表している。
【図２】本発明の実施例１に係るスローアウェイ式工具の、チップポケット挿入部を、側面チップポケットの反対側から見た概略図である。
【図３】本発明の実施例１に係るスローアウェイ式工具の、脱着式外周チップポケット部がチップポケット挿入部に嵌合された状態を説明する概略図である。（ａ）は側面チップポケットの反対側から見た図、（ｂ）は側面チップポケット側から見た図である。
【図４】従来のスローアウェイ式工具の概略図である。（ａ）は側面チップポケット側から見た図、（ｂ）は（ａ）におけるＤ‐Ｄ矢視図である。
【発明を実施するための形態】
【００１８】
以下、本発明に係るスローアウェイ式工具を実施例にて図面を用いて説明する。
【実施例１】
【００１９】
本発明の実施例１に係るスローアウェイ式工具について図１乃至図３を用いて説明する。まず、図３（ａ）のように、本発明の実施例１に係るスローアウェイ式工具３１は、脱着式外周チップポケット部１及びチップポケット挿入部１１を備える。
【００２０】
上述のチップポケット挿入部１１は、図２に示すように、外周チップポケット位置の窪み１２、ボルト穴１３、側面チップポケットの反対側の窪み１４を有する。
【００２１】
超硬インサート１５，１７、バックメタル１６については従来技術と同様である。尚、図示されているのはチップポケット挿入部１１の一部である。例えば、図２には図示されていないが、図３ではバックメタル１８と側面チップポケット１９が図示されている。
【００２２】
上述の外周チップポケットの窪み１２及び側面チップポケットの反対側の窪み１４は、側面チップポケット１９の反対側から、スローアウェイインサートの回転方向前方の外周面（従来のスローアウェイ式工具２１における外周チップポケット２２の部分）に亘って形成され、チップポケット挿入部１１には外周チップポケットが設けられていないことを示している。
【００２３】
上述のボルト穴１３は、側面チップポケット１９の反対側に設けられている。
【００２４】
上述の超硬インサート１５，１７、バックメタル１６，１８及び側面チップポケット１９については、従来のスローアウェイ式工具２１の超硬インサート２７、バックメタル２６，２８及び側面チップポケット２９と同様のため、説明を省略する。
【００２５】
上述の脱着式外周チップポケット部１の概略図を、図１（ａ）（ｂ）（ｃ）に示す。（ａ）は（ｂ）または（ｃ）におけるＡ‐Ａ矢視図、（ｂ）は（ａ）または（ｃ）におけるＢ‐Ｂ矢視図、（ｃ）は（ａ）または（ｂ）におけるＣ‐Ｃ矢視図をそれぞれ表している。これらに図示されるように、脱着式外周チップポケット部１は、外周チップポケット２と穴３とを備える。
【００２６】
また、脱着式外周チップポケット部１は、従来のスローアウェイ式工具２１における外周チップポケット２２の位置及び角度に外周チップポケット２が来るように、チップポケット挿入部１１の窪み１２，１４（図２参照）に脱着自在に嵌合する。
【００２７】
さらに、上述の穴３は、ボルト穴１３の直径以上の直径を持ち、脱着式外周チップポケット部１をチップポケット挿入部１１に嵌合した場合に、ボルト穴１３が外側から見える位置に設けられている。
【００２８】
上述の外周チップポケット２は、チップポケット挿入部１１の超硬インサート１７で対象物を切削した際に出てくるチップを排出するためのものである。
【００２９】
図３（ａ）（ｂ）は、スローアウェイ式工具３１の、脱着式外周チップポケット部１がチップポケット挿入部１１に嵌合された状態を説明する概略図である。（ａ）は側面チップポケット１９の反対側から見た図、（ｂ）は側面チップポケット１９側から見た図である。このように、脱着式外周チップポケット部１をチップポケット挿入部１１に嵌合させ、ボルト２０を穴３に通してボルト穴１３と螺合させることで、チップポケット挿入部１１と脱着式外周チップポケット部１とを固定することが可能である。
【００３０】
さらに、上述のように外周チップポケット２または側面チップポケット１９以外の面にボルト穴１３と穴３を設けることで、切削中にボルト穴１３または穴３にチップが入り込むことを防ぐことができる。
【００３１】
上述のような構成とすることで、本発明の実施例１に係るスローアウェイ式３１は、図３（ａ）（ｂ）のように、脱着式外周チップポケット部１をチップポケット挿入部１１に嵌合し、ボルト２０によって固定した上で、点線矢印方向に回転しながら、超硬インサート１５，１７によって対象物を切削する。
【００３２】
超硬インサート１７の切削によるチップは外周チップポケット２と側面チップポケット１９から排出されるが、切削によって外周チップポケット２が損傷した際は、脱着式外周チップポケット部１を新しいものと取り換えることができる。
【００３３】
また、脱着式外周チップポケット部１の損傷を抑えるため、脱着式外周チップポケット部１に摩擦係数の低いＤＬＣコーティングを施しても良い。
【００３４】
つまり、本発明の実施例１に係るスローアウェイ式工具は、損傷の激しい外周チップポケットを脱着式にすることで、外周チップポケットが損傷した際に、脱着式外周チップポケット部のみを取り換えることができ、スローアウェイ式工具本体の寿命を向上させることができるため、コストや時間を削減することが可能となる。
【００３５】
尚、本発明の実施例１に係るスローアウェイ式工具では、超硬インサートを使用しているが、本発明に用いるスローアウェイインサートは勿論これに限定されるものではない。
【産業上の利用可能性】
【００３６】
本発明は、歯車を加工するスローアウェイ式工具として好適である。
【符号の説明】
【００３７】
１  脱着式外周チップポケット部
２，２２  外周チップポケット
３  穴
１１  チップポケット挿入部
１２  外周チップポケット位置の窪み
１３  ボルト穴
１４  側面チップポケットの反対側の窪み
１５，１７，２７  超硬インサート
１６，１８，２６，２８  バックメタル
１９，２９  側面チップポケット
２０  ボルト
２１  従来のスローアウェイ式工具
３１  本発明の実施例１に係るスローアウェイ式工具
【図４】
2013173197.tif 000003
【図１】
2013173197.tif 000004
【図２】
2013173197.tif 000005
【図３】
2013173197.tif 000006